(57)【要約】  【課題】  電磁リレーを用いたバイパス系によっても高い信頼性と生存性が得られるようにした伝送システムを提供すること。  【解決手段】  伝送システムの二重系を切換えるための受信切換部７にリレー１０、１１を設け、そのブレイク接点１０ｂ、１１ｂにより受信切換部７をバイパスするようにしたものにおいて、リレーのコイル１０ｄ、１１ｄに印加される電圧ＶR を切換える可変制御部２０を設け、リレー１０、１１が動作したあと、タイマー２１によりスイッチ２２を閉じ、電圧ＶR を電源電圧Ｖcc から、抵抗２３による電圧降下された低い電圧に切換え、コイル１０ｄ、１１ｄの発熱によるガスの発生量が抑えられるようにしたもの。  これにより、ガスがリレーの接点に及ぼす悪影響がおされられる。  【選択図】  図１
2005303618.tif 000002
【特許請求の範囲】
【請求項１】
信号伝送路を現用系と予備系に選択する切換処理部に、電磁リレーのブレーク接点によるバイパス経路を備えた伝送システムにおいて、
前記電磁リレーの動作電圧値を当該電磁リレーのメーク電圧値から保持電圧値に切換える制御手段を設け、
前記制御手段は、前記電磁リレーに対する動作電流の通電開始後、予め設定してある時間が経過した時点で前記メーク電圧値から前記保持電圧値に切換えるように構成されていることを特徴とする伝送システム。
【請求項２】
請求項１に記載の伝送システムにおいて、
前記保持電流値は、前記切換処理部が備えているアラーム機能を用いることにより、予め自動的に設定されることを特徴とする伝送システム。
【発明の詳細な説明】
【技術分野】
【０００１】
本発明は、現用系に予備系を備えた伝送システムに係り、特に放送スタジオと送信所間での信号の中継に好適な伝送システムに関する。
【背景技術】
【０００２】
放送スタジオと送信所間の信号の中継にＳＴＬ(スタジオ ツウ トランスミッタ：studio to transmiter)装置と呼ばれる伝送システムが用いられる場合があるが、このＳＴＬ装置には、通常、四六時中連続稼働が要求され、しかも無人システムとして運用される場合が多いので、高い信頼性と生存性が必要である。
【０００３】
そこで、このＳＴＬ装置には、従来から、現用系と予備系の二重の伝送系を備え、一方の伝送系の異常発生により他方の伝送系に自動的に切換えられるようにするのが通例であり、このような二重系による伝送システムの一例について、図５により説明する。
【０００４】
この図５の伝送システムでは、送信側中継部Ｔと受信側中継部Ｒの間を有線又は無線の伝送系Ｌで結合して構成されているが、このとき、送信側中継部Ｔでは、その変調部と送信部を現用系の変調部１−１と送信部２−１及び予備系の変調部１−２と送信部２−２の二重系とすると共に、受信側中継部Ｒでも現用系の受信部５−１と復調部６−１及び予備系の受信部５−２と復調部６−２の二重系とする。
【０００５】
そして、送信側中継部Ｔには送信切換部３を設け、現用系の送信信号Ｉa と予備系の送信信号Ｉb の選択を行なって、一方の送信信号を出力Ｏut に切換えて伝送系Ｌに送出させると共に、受信側中継部Ｒでは伝送系Ｌで中継されてきた送信信号を分配器４により現用系と予備系に分配した上で、受信切換部７を設け、現用系の受信信号入力Ｔs １と予備系の受信信号入力Ｔs ２の選択を行なって、一方の受信信号を出力Ｔso に切換えるようにしている。
【０００６】
このとき、まず、送信切換部３では、変調部１−１、１−２と送信部２−１、２−２の各々からアラーム情報at１、am１、bt２、bm２を取込み、これにより現用系と予備系、各々の健全性をモニタし、異常の発生に応じて現用系と予備系の切換えを自動的に行ない、異常のない伝送系が選択されるようにする。
【０００７】
また、受信切換部７では、受信部５−１、５−２と復調部６−１、６−２の各々からアラーム情報ad１、ar１、bd２、br２を取込み、これにより現用系と予備系、各々の健全性をモニタし、異常の発生に応じて現用系と予備系の切換えを自動的に行ない、異常のない健全な方の伝送系が選択されるようにするのである。
【０００８】
ここで、アラーム情報とは、送信切換部３では、変調部１−１、１−２と送信部２−１、２−２の各々に異常が発生したとき、各々に設けてあるモニタ部から発生される信号のことで、受信切換部７では、受信部５−１、５−２と復調部６−１、６−２の各々に異常が発生したとき、各々に設けてあるモニタ部から発生される信号のことである。
【０００９】
ところで、この図５で説明した二重系の伝送システムの場合、送信側中継部Ｔでは送信切換部３が、そして受信側中継部Ｒでは受信切換部７については、何れも二重系構成になっていないので、例えば送信切換部３や受信切換部７の電源が故障したなど、これらの部分に故障が発生したとすると、信号の伝送が中断され、一切の出力が行なえず、重大な事態になってしまう虞れがある。
【００１０】
そこで、これら送信切換部３と受信切換部７の故障をバックアップする従来技術として、図６に示す、いわゆるバイパス法が知られている。なお、ここで、受信側中継部Ｒの分配器７については、比較的単純な回路構成で能動素子を含まないことから、通常は、異常の発生を考慮した二重系にする必要は特にないものである。
【００１１】
この図６は、上記したバイパス法を図５の受信切換部７に適用した場合の一例で、この場合、図示のように、受信切換部７の現用系受信信号入力Ｔs １と出力Ｔso の間に２個のリレー(電磁リレー)１０、１１からなるバイパス回路を設けたものである。
【００１２】
なお、実際には、送信切換部３についても適用しなければならないことは言うまでもない。
【００１３】
各リレー１０、１１は、各々メーク接点１０ａ、１１ａと、ブレイク接点１０ｂ、１１ｂ、可動接点１０ｃ、１１ｃ、それに電磁コイル１０ｄ、１１ｄを備えた、いわゆる切換接点型の電磁継電器で構成されている。
【００１４】
そして、まず、リレー１０の可動接点１０ｃに現用系の復調部６−１の出力を供給し、流量リレー１１の可動接続１１ｃから受信側中継部Ｒの出力を取出すようにする。
【００１５】
次に、リレー１０のメーク接点１０ａを受信側切換部７の現用系の受信信号入力Ｔs １に接続し、受信側切換部７の出力Ｔso はリレー１１のメーク接点１１ａに接続すると共に、リレー１０のブレイク接点１０ｂは、バイパス線路により、そのままリレー１１のブレイク接点１１ｃに接続するのである。
【００１６】
ここで、まず、メーク接点とは一般にａ接点と呼ばれるもので、電磁コイルに通電され、当該リレーが動作したとき閉じる接点のことであり、更には常開(ノーマリーオープン：ＮＣ)接点とも呼ばれ、この図６では薄墨で塗られた丸印で描いてある。
【００１７】
次に、ブレイク接点とは、一般にｂ接点と呼ばれるもので、電磁コイルに通電されていないとき、つまり動作していないときは閉じていて、電磁コイルに通電されリレーが動作したとき開かれる接点のことであり、更には常閉(ノーマリークローズド：ＮＯ)接点とも呼ばれ、この図６では白抜きの丸印で描いてある。
【００１８】
次に、この図６の回路の動作について説明すると、まずリレー１０、１１は、各々のコイル(電磁コイル)１０ｄ、１１ｄに電源電圧Ｖcc が印加されたとき動作し、それまで閉じていた各々のブレイク接点１０ｂ、１１ｂを開き、これと同時に、それまで開いていたメーク接点１０ａ、１１ａを閉じるようになっている。
【００１９】
このとき、電圧Ｖcc は、図示してないが、受信切換部７に供給されている動作電圧と同じ電源から供給され、ここで、この電圧Ｖcc の電圧値は各リレー１０、１１の定格電圧と等しく、例えば１２Ｖ(ボルト)であり、従って、これがメーク電圧となっている。
【００２０】
ここで、いま、受信切換部７の動作に必要な電源電圧が確保され、受信切換部７が正常に動作しているときは、バイパス系にも例えば１２Ｖの電源電圧Ｖcc が供給されているので、各リレー１０、１１は正しく動作し、メーク接点１０ａ、１１ａは閉じ、ブレイク接点１０ｂ、１１ｂは開いているという、図示の状態を保つ。
【００２１】
図７は、このときの動作を説明するためのタイムチャートで、いま、時刻ｔ0 でシステムに電源が投入されたとすると、図７の(a)に示すように、この時刻ｔ0 でリレー１０、１１の電圧Ｖcc は１２Ｖになり、これらは動作し、メーク接点１０ａ、１１ａは閉じられ、ブレイク接点１０ｂ、１１ｂは開かれる。
【００２２】
なお、以下の説明では、用語としての「時刻」については、「時点」と混用する場合があるが、何れも同じ意味である。
【００２３】
そこで、このときは、現用系の復調部６−１の出力は、閉じているリレー１０のメーク接点１０ａを通って受信切換部７の入力Ｔs １に供給され、受信切換部７の出力Ｔso は閉じているリレー１１のメーク接点１１ａに供給され、受信側中継部Ｒの出力Ｔso として取出されていることになる。
【００２４】
そして、このときの状態を、図７の(b)に示すように、「受信切換部を介して」として表わしており、従って、時刻ｔ0 以前は、「バイパス」状態になっていることになるが、このときは、システム自体、動作していないので、特に意味はもたない。
【００２５】
一方、ここで、受信切換部７の動作に必要な電源電圧が途切れ、受信切換部７の動作が異常になったとすると、これと同時にリレー１０、１１の電磁コイル１０ｄ、１１ｄに供給されている電圧Ｖcc も途切れてしまうので、ここでリレー１０、１１が復帰し、切換接点１０ｃ、１１ｃはブレイク接点１０ｂ、１１ｂに切り替わってしまう。
【００２６】
この時刻が、図７では時刻ｔ1 であり、従って、この時刻ｔ1 以降、システムは、図７の(b)に示すように、「バイパス」状態に切換わり、このときは、現用系の復調部６−１の出力はブレイク接点１０ｂからバイパス線路を通ってブレイク接点１１ｂに供給されるようになる。
【００２７】
これにより受信切換部７の入力Ｔs １と出力Ｔso 間はバイパスされてしまい、現用系の復調部６−１の出力は、受信切換部７の状況とは無関係に、そのまま受信側中継部Ｒの出力Ｔso として取出されることになる。
【００２８】
この結果、最悪、受信切換部７が故障したとしても、現用系の信号については中継を継続させることができ、一切の出力が行なえないという重大な事態に至ってしまう虞れを回避させることができる。
【発明の開示】
【発明が解決しようとする課題】
【００２９】
上記従来技術は、バイパス系が信頼性と生存性の確保のための最後の手段である点に配慮がされているとは言えず、バイパス系にリレー(電磁リレー)の接点を含んているという問題があった。
【００３０】
リレーは、特別仕様の場合を除き、一般に温度の上昇により電磁コイルから有機性ガスが発生するという特性があるが、このガスは、リレーの接点に悪影響を及ぼし、酸化を促進して接点の接触抵抗を増大させ、最終的には接触不良に至る。
【００３１】
この場合、バイパス系に切換えてもバイパス機能が与えられなくなってしまうので、信頼性と生存性の確保のための最後の手段、いわば最後の砦ともいうべきバイパス経路によっても信号の伝送が得られなくなってしまうのである。
【００３２】
本発明の目的は、電磁リレーを用いたバイパス系によっても高い信頼性と生存性が得られるようにした伝送システムを提供することにある。
【課題を解決するための手段】
【００３３】
上記目的は、信号伝送路を現用系と予備系に選択する切換処理部に、電磁リレーのブレーク接点によるバイパス経路を備えた伝送システムにおいて、前記電磁リレーに印加される電圧値を当該電磁リレーのメーク電圧値から保持電圧値に切換える制御手段を設け、前記制御手段は、前記電磁リレーに対する動作電流の通電開始後、予め設定してある時間が経過した時点で前記メーク電圧値から前記保持電圧値に切換えるようにして達成される。
【００３４】
このとき、前記保持電圧値は、前記切換処理部が備えているアラーム機能を用いて予め設定されるようにしても上記目的を達成することができる。
【発明の効果】
【００３５】
本発明によれば、電磁リレーの電磁コイルによる発熱量が少なくできるので、温度上昇に伴う有機ガスの発生を抑え、接点の劣化に伴う信頼性と生存性の低下を抑えることができ、且つ、電磁コイルの消費電力も低減化されるので、省エネにも有利である。
【発明を実施するための最良の形態】
【００３６】
以下、本発明による伝送システムについて、図示の実施の形態により詳細に説明する。
【００３７】
図１は、本発明の一実施形態に係る伝送システムを示したもので、図において、２０は可変制御部で、これから出力される電圧(ＶR)がリレー(電磁リレー)１０、１１の電源電圧、つまりリレー電圧ＶR として供給されるようになっているが、これら以外の構成は、図５で説明した従来技術による伝送システムの場合と同じである。
【００３８】
また、実際には送信切換部３についても適用しなければならないことは、この実施形態でも同じであることは言うまでもない。
【００３９】
そして、まず可変制御部２０は、リレーの動作電圧値を当該電磁リレーのメーク電圧値から保持電圧値に切換える制御手段を構成し、受信切換部７に供給されている電源電圧Ｖcc(＝１２Ｖ)から、各リレー１０、１１に供給するためのリレー電圧ＶR を作り出す働きをするもので、このためタイマー２１とスイッチ２２、それに抵抗２３で構成されている。
【００４０】
そして、まず、タイマー２１は、図２(b)に示すように、電源電圧Ｖcc の立ち上り時点ｔ0 で計時動作を開始し、予め設定してある遅延時間ＴD が経過後、タイマ信号τを発生してスイッチ２２に供給する働きをし、次に、スイッチ２２は、図２(c)に示すように、タイマ信号τが入力されていないときは閉じていて、タイマ信号τが入力されると閉じ、抵抗２３を短絡する働きをする。
【００４１】
次に、抵抗２３は、電源電圧Ｖcc と各リレー１０、１１の電源電圧ＶR の間に挿入され、各リレー１０、１１のコイル１０ｄ、１１ｄに電流が流れたとき電圧降下を発生させ、電源電圧Ｖcc を所定の電圧TD(後述)に低下させる働きをする。
【００４２】
従って、この実施形態では、図２(d)に示すように、電源電圧Ｖcc(＝１２Ｖ)が立ち上がった時点ｔ0 では、リレー電圧ＶR は電源電圧Ｖcc に等しいが、このリレー電圧ＶR は、タイマ信号τが発生した時点ｔDR 以降、１２Ｖの電源電圧Ｖcc よりも低い、例えば７Ｖなどの電圧ＶTD に低下されることになる。
【００４３】
このとき、リレー１０、１１は、時刻ｔ0 で電源電圧Ｖcc が１２Ｖに立ち上がった時点で動作し、これにより、システムの動作は、図２(e)に示すように、「バイパス」状態から「受信切換部を介して」状態に切換えられてしまう。
【００４４】
しかし、ここでタイマ信号τが発生した時点ｔTD 以降、リレー電圧ＶR が電圧ＶTD に低下された後も、これらのリレー１０、１１は復旧することなく、メーク接点１０ａ、１１ａが閉じられている状態を保持することになる。なお、この理由については後述する。
【００４５】
従って、この実施形態によっても、時刻ｔ0 以降、時刻ｔ1 になるまでの間は、現用系の復調部６−１の出力は、閉じているリレー１０のメーク接点１０ａを通って受信切換部７の入力Ｔs １に供給され、受信切換部７の出力Ｔso は閉じているリレー１１のメーク接点１１ａに供給され、受信側中継部Ｒの出力Ｔso として取出されていることになる。
【００４６】
そして、時刻ｔ1 で、受信切換部７の動作に必要な電源電圧が途切れ、この結果、受信切換部７の動作が異常になったとすると、これと同時にリレー１０、１１のコイル１０ｄ、１１ｄに印加されている電圧Ｖcc も途切れてしまうので、ここでリレー１０、１１が復帰し、切換接点１０ｃ、１１ｃはブレイク接点１０ｂ、１１ｂに切り替わってしまう。
【００４７】
そこで、この時刻ｔ1 以降、システムは、図２(e)に示すように、「バイパス」状態に切換わり、このときは、現用系の復調部６−１の出力はブレイク接点１０ｂからバイパス線路を通ってブレイク接点１１ｂに供給されるようになる。
【００４８】
これにより受信切換部７の入力Ｔs １と出力Ｔso 間はバイパスされてしまい、現用系の復調部６−１の出力は、受信切換部７の状況とは無関係に、そのまま受信側中継部Ｒの出力Ｔso として取出されることになる。
【００４９】
従って、この実施形態でも、最悪、受信切換部７が故障したとしても、現用系の信号については中継を継続させることができ、一切の出力が行なえないという重大な事態に至ってしまう虞れを回避させることができる。
【００５０】
次に、この実施形態により、図２、特に同図(d)に示すように、リレー電圧ＶR を制御しても、図６で説明した従来技術と同じく、受信切換部７が故障したとしても、現用系の信号について中継が継続できる理由と、それにより本発明の目的が達成できる理由にについて説明する。
【００５１】
ここで、上記の理由を理解するのに必要なリレー(電磁リレー)の特性について説明すると、リレーの動作にはコイルに電流を流す必要があるが、この電流を流すのに必要な電圧にはメーク電圧値と保持電圧値の２種の電圧が定義できる。
【００５２】
そして、まずメーク電圧値とは、リレーに通電して接点を切換えさせるのに必要な電圧値のことで、次に保持電圧値とは、一旦、リレーに通電して接点を切換えさせた後、リレーを復旧させることなく、その状態を維持させたままにしておくことができるようにするための電圧値のことで、ここでは電圧ＶTD が対応している。従って、以後、この電圧ＶTD については、保持電圧ＶTD と記載する。
【００５３】
一般的な電磁リレーは、継電器とも呼ばれているもので、アマチュアと称される可動鉄片(可動鉄心)を、電磁石の働きにより動かすことにより、接点の開閉を行なうようにした回路開閉機器の一種である。
【００５４】
このため、コイルに通電を開始したときは、可動鉄片が電磁石から離れているので、それを吸引させ始めるには強い電磁力が必要になるが、一旦、可動鉄心が電磁石に吸着された後は、復帰スプリングに抗するだけの力で済むので、さほどの電磁力は要せず、従って、メーク電圧値に比較して、保持電圧値はかなり少なくて済む。
【００５５】
具体的に説明すると、いま、あるリレーが、定格動作電流値の通流に必要な電圧が１２Ｖであったとすると、その保持電圧(電圧ＶTD のこと)は、例えば７Ｖと低くて済む。
【００５６】
そこで、図１に示した実施形態におけるリレー１０、１１として、このようなリレーを用いでやれは、図２の(d)に示すように、１２Ｖの電圧Ｖcc を一旦、時刻ｔ0 で電圧ＶR として印加した後は、時刻ｔDR で７Ｖの保持電圧ＶTD に低下させたとしても、これらのリレー１０、１１にそのまま動作を維持させることができる。
【００５７】
従って、この図１の実施形態によっても、図２の(e)に示すように、時刻ｔ0 から時刻ｔ1 まで「受信切換部を介して」状態を維持させたままにすることができ、この結果、「受信切換部を介して」状態と「バイパス」状態の的確な選択を得ることができるのである。
【００５８】
次に、リレーのコイルと言えども、巻線には抵抗の存在が不可避であり、従って通電されれば抵抗損失の発生は免れず、しかも、その損失の大きさは通電される電流値の自乗(Ｉ2 Ｒ)で効いてくるので、電流値を抑えれてやれば、コイルの発熱量を大きく抑えることができる。
【００５９】
このとき、図１の実施形態によれば、上記したように、時刻ｔDR 以降は７Ｖの保持電圧ＶTD にされ、この結果、通電される電流値が低下されるので、リレー１０、１１のコイル１０ｄ、１１ｄによる発熱量が大きく抑えられ、この結果、温度上昇も抑えられる。
【００６０】
既に説明したように、リレーは、温度の上昇によりコイルから有機性ガスを発生し、リレーの接点の酸化を促進して接点の接触抵抗を増大させ、最終的には接触不良に至るが、このときの有機性ガスの発生量は当該コイルの温度に依存し、温度を抑えてやれば有機性ガスの発生量を少なくすることができる。
【００６１】
しかも、図１の実施形態の場合、図２(b)、(c)、(d)に示す時刻ｔ0 から時刻ｔ1 までの時間に比較して、時刻ｔ0 から時刻ｔDR までの時間(遅延時間ＴD)はかなり短い。
【００６２】
ここで、まだ説明してなかったが、この遅延時間ＴD については、各リレー１０、１１の動作時間で決められ、これらの動作時間が確保できれば良いだけなので、かなり短い時間に設定することができる。
【００６３】
一般的なリレーの場合、この動作時間は長くても１秒程度で、通常は数１００ミリ秒以下であるから、時刻ｔ0 から時刻ｔDR までの時間もこの程度である。
【００６４】
一方、時刻ｔ0 から時刻ｔ1 までの時間は、システムの動作を立ち上げて中継動作に入った後、電源電圧が途切れ、受信切換部７の動作が異常になったときまでの時間で、システムの信頼性仕様にもよるが、四六時中連続稼働が要求されていることから、実際にはほとんど無限大であるといっても過言ではなく、ほとんどは保持電圧ＶTD による通電状態になっている。
【００６５】
従って、この図１の実施形態によれば、各リレー１０、１１のコイル１０ｄ、１１ｄによる発熱量が少なくでき、温度上昇が小さくされているので、有機性ガスの発生によるリレー接点の劣化が抑えられ、信頼性と生存性の高い伝送システムが提供できる。
【００６６】
また、この結果、図１の実施形態によれば、リレーのコイルによる消費電力が低減されるので、省エネが得られることになる。
【００６７】
ところで、上記実施形態における保持電流値の通流に必要な電圧、すなわち保持電圧ＶTD は、リレー１０、１１として使用されるリレーの特性に応じて決める必要がある。
【００６８】
しかし、このようなリレーの特性は、同じ種類の同一形式のリレーであっても、生産ロットの違いや経時変化により多少異なっているので、予め当該リレーの個々について測定を行なっておく必要がある。
【００６９】
そこで、次に、この保持電圧ＶTD が、使用されているリレーに応じて自動的に設定されるようにした本発明の一実施形態について、図３により説明する。
【００７０】
この図３の実施形態は、保持電圧ＶTD を初期値から順次、段階的に低下させて行き、リレー１０が復帰したとき、その１段階前の電圧を新たな保持電圧ＶTD としてメモリに記憶することにより、保持電圧ＶTD が自動的に設定できるようにしたものである。
【００７１】
そして、以後、保持電圧ＶTD の更新が必要になるまで、メモリに記憶した電圧を保持電圧ＶTD として使用するのであるが、ここで、この図３の実施形態では、上記したリレー１０の復帰を検出するため、受信切換部７で発生されるＮＧ信号を利用した点を特徴とするものである。
【００７２】
このため、この図３の実施形態では、タイマー２１とスイッチ２２に加えて、更にＧＥＮ(初期値発生部)２５とメモリ２６、ＤＡ(デジタル／アナログ変換部)２７、２８、それにＳＥＬ(セレクタ)２９で構成された可変制御部２０Ａが用いられている。
【００７３】
そして、この可変制御部２０Ａは、モード信号Ｍにより通常動作モードＮＭと保持電圧設定モードＭＭに切換えて動作し、保持電圧設定モードＭＭにされたとき保持電圧ＶTD の自動設定を行ない、通常動作モードＮＭにされたときは図１の実施形態と同じ動作をするようになっている。
【００７４】
このため、まず、ＧＥＮ２５は、保持電圧設定モードＭＭにされたとき、電源電圧Ｖcc の立ち上がりで動作を開始し、所定の時間間隔、例えば２秒間隔で、電源電圧Ｖcc に等しい１２Ｖの電圧を初期値として、例えば１Ｖなどの所定の電圧毎に逐次、ステップ状に低下してゆく電圧を、デジタルデータとして発生する働きをする。
【００７５】
次に、同じくメモリ２６は、ＧＥＮ２５から出力されるデジタルデータを逐次、少なくとも前後２データ分づつ記憶して行き、受信切換部７からＮＧ信号が入力された時点で、そのとき記憶されていた前後２データ分のデータの中の前のデータを保持する働きをする。
【００７６】
このとき、ＤＡ２７は、ＧＥＮ２５から出力されるデジタルデータをアナログ信号による電圧ＡGEN に変換する働きをし、ＤＡ２８は、メモリ２６から出力されるデジタルデータをアナログ信号による電圧ＡME に変換する働きをする。
【００７７】
一方、ＳＥＬ２９は、保持電圧設定モードＭＭのとき、ＤＡ２７から出力される電圧ＡGEN を選択してスイッチ２２に供給し、通常動作モードＮＭのときは、ＤＡ２８から出力される電圧ＡME を選択してスイッチ２２に供給する働きをする。
【００７８】
次に、この図３の実施形態の動作について、各モード毎に説明する。
【００７９】
・通常動作モードＮＭのとき
通常動作モードＮＭでは、ＳＥＬ２９がＤＡ２８から出力されている電圧ＡME を選択している状態に設定される。
【００８０】
この結果、基本的な動作は、上記したように、図１の実施形態と同じであるが、このとき、図１の実施形態では、保持電圧ＶTD が抵抗２３の電圧降下により作り出されるようになっているのに対して、この図３の実施形態では、予めメモリ２６にデジタルデータとして記憶されている電圧がＳＥＬ２９で選択され、スイッチ２２に供給されているようになっている点で異なっているだけである。
【００８１】
従って、この図３の実施形態でも、図２(d)に示した図１の実施形態の場合と同じく、電源電圧Ｖcc(＝１２Ｖ)が立ち上がった時点ｔ0 では、リレー電圧ＶR は電源電圧Ｖcc に等しく、これがメーク電圧値となるが、このリレー電圧ＶR は、タイマ信号τが発生した時点ｔDR 以降、予め自動設定されメモリ２６に記憶してある保持電圧ＶTD(例えば７Ｖの電圧)に低下されることになる。
【００８２】
この結果、この図３の実施形態によっても、同じく各リレー１０、１１のコイル１０ｄ、１１ｄによる発熱量が少なくでき、温度上昇が小さくされているので、有機性ガスの発生によるリレー接点の劣化が抑えられ、信頼性と生存性の高い伝送システムが提供できる。
【００８３】
・保持電圧設定モードＭＭのとき
保持電圧設定モードＭＭでは、ＳＥＬ２９がＤＡ２７から出力されている電圧ＡGEN を選択し、スイッチ２２は、ＳＥＬ２９の出力を選択している状態に設定される。
【００８４】
そして、このときも図４(a)に示す電源電圧Ｖcc(＝１２Ｖ)の立ち上り時点ｔ0 が動作開始の契機となるようにしてあるので、ここで、まず、ＧＥＮ２５が動作を開始する。
【００８５】
そして、これにより、図４(a)に示すように、電源電圧Ｖcc を初期値として、ステップ状に逐次低下してゆく電圧ＡGEN がＤＡ２７から発生される。このときのステップ電圧は例えば１Ｖで、ステップの周期は例えば２秒とする。
【００８６】
ここで、この電圧ＡGEN は、リレー電圧ＶR として各リレー１０、１１に供給されている。そこで、これらのリレーも時点ｔ0 で動作し、メーク接点１０ａ、１１ａが閉じられ、この結果、受信切換部７には復調部６−１の出力が入力されるようになる。
【００８７】
こうして、時点ｔ0 からの時間の推移により電圧ＡGEN が低下し、リレー電圧ＶR が低下してゆくと、やがて或る時点ｔF で各リレー１０、１１のコイルに流れている電流の大きさが保持電流値以下になってしまい、ここでリレー１０、１１が復旧してしまう。
【００８８】
このとき、受信切換部７は、復調部６−１の出力が入力されなくなると、それに応じて信号ＮＧを出力するように構成してあり、従って、図４(c)に示すように、時点ｔF で信号ＮＧが立ち上がる。
【００８９】
一方、ＧＥＮ２５の出力はメモリ２６にも供給されている。そこで、このときＤＡ２８の出力に現われる電圧ＡME も、図４(c)に示すように変化している。
【００９０】
そして、このメモリ２６は、上記したように、ＧＥＮ２５から出力されるデジタルデータを逐次、少なくとも前後２データ分づつ記憶して行き、受信切換部７から信号ＮＧが入力された時点で、そのとき記憶されていた前後２データ分のデータの中の前のデータを保持する働きをする。
【００９１】
従って、このメモリ２６には、時点ｔF において、この時点ｔF における電圧ＡME(電圧Ｚとする)の直前における電圧ＡME(電圧Ｙとする)が記憶保持され、この状態が通常動作モードＮＭにモード変えされた後も継続され、次に再び保持電圧設定モードＭＭに設定されるまで維持されることになる。
【００９２】
ここで、まず、このときの電圧Ｙについてみると、これは、このときシステムに使用されているリレー１０、１１が一旦、動作した後、その動作状態を維持しているとき、それらのコイル１０ｄ、１１ｄに印加されていた電圧であり、次に、電圧Ｚについてみると、これは、このときシステムに使用されているリレー１０、１１が一旦、動作した後、それが復旧したとき、それらのコイル１０ｄ、１１ｄに印加されていた電圧である。
【００９３】
そうすると、リレー１０、１１に固有の保持電圧ＶTD は、これらの電圧Ｙと電圧Ｚの間にあることは明らかであり、そこで、電圧Ｙを電圧ＡME としてやれば、リレー１０、１１に固有の保持電圧ＶTD を所定の余裕度をもって決めることができる。
【００９４】
従って、この図３の実施形態によれば、予め使用するリレーの個々について測定を行なわなくても、使用したリレーに応じて自動的に保持電圧ＶTD が設定されることになり、この結果、的確な保持電圧ＶTD による動作が容易に得られることになる。
【図面の簡単な説明】
【００９５】
【図１】本発明による伝送システムの一実施形態を示すブロック構成図である。
【図２】本発明による伝送システムの一実施形態の動作を説明するためのタイミング図である。
【図３】本発明による伝送システムの他の一実施形態を示すブロック構成図である。
【図４】本発明による伝送システムの他の一実施形態の動作を説明するためのタイミング図である。
【図５】二重系として構成した伝送システムの一例を示すブロック構成図である。
【図６】電磁リレーのブレーク接点によるバイパス経路を備えた伝送システムの従来技術の一例を示すブロック構成図である。
【図７】伝送システムの従来技術の一例による動作を説明するためのタイミング図である。
【符号の説明】
【００９６】
Ｔ：送信側中継部
Ｌ：伝送系(無線又は有線)
Ｒ：受診側中継部
１−１、１−２：変調部
２−１、２−２：送信部
３：送信切換部
４：分配器
５−１、５−２：受信部
６−１、６−２：復調部
７：受信切換部
１０、１１：リレー(電磁リレー)
１０ａ、１１ａ：メーク接点(常開接点：ＮＯ)
１０ｂ、１１ｂ：ブレイク接点(常開接点：ＮＣ)
１０ｃ、１１ｃ：可動接点
１０ｄ、１１ｄ：コイル(電磁コイル)
２０、２０Ａ：可変制御部
【図１】
2005303618.tif 000003
【図２】
2005303618.tif 000004
【図３】
2005303618.tif 000005
【図４】
2005303618.tif 000006
【図５】
2005303618.tif 000007
【図６】
2005303618.tif 000008
【図７】
2005303618.tif 000009
【手続補正書】
【提出日】平成16年7月28日(2004.7.28)
【手続補正１】
【補正対象書類名】明細書
【補正対象項目名】００１６
【補正方法】変更
【補正の内容】
【００１６】
ここで、まず、メーク接点とは、一般にａ接点と呼ばれるもので、電磁コイルに通電され、当該リレーが動作したとき閉じる接点のことであり、更には常開(ノーマリーオープン：ＮＯ)接点とも呼ばれ、この図６では薄墨で塗られた丸印で描いてある。
【手続補正２】
【補正対象書類名】明細書
【補正対象項目名】００１７
【補正方法】変更
【補正の内容】
【００１７】
次に、ブレイク接点とは、一般にｂ接点と呼ばれるもので、電磁コイルに通電されていないとき、つまり動作していないときは閉じていて、電磁コイルに通電されリレーが動作したとき開かれる接点のことであり、更には常閉(ノーマリークローズド：ＮＣ)接点とも呼ばれ、この図６では白抜きの丸印で描いてある。